(57)【要約】【課題】路上犯罪に対して防犯対策を十分に行うことができる屋外照明装置、屋外照明システム、及び屋外照明方法を提供することを目的とする。【解決手段】本発明にかかる屋外照明装置は、人体を検知する人感センサ１３と、照度が可変であるランプ１１と、他の屋外照明装置と通信を行う制御機器１２の電波送受信部２３と、制御機器１２とを備えた照明灯１０である。そして、その制御機器１２は、人感センサ１３が人体を検知した場合又は隣接照明灯より電波送受信部２３によって調光開始信号を受信した場合にランプ１１の照度を照度３０％からこの照度よりも高い照度７０％に切り替える点灯照度切替部２１１と、人感センサ１３が人体を検知した場合に電波送受信部２３により調光開始信号を隣接照明灯に対して送信する隣接照明制御部２１２とを備えたものである。【選択図】  図２
2004241217.tif 000002
【特許請求の範囲】
【請求項１】
人体を検知する人体検知手段と、照度が可変である点灯手段と、他の屋外照明装置と通信を行う通信手段と、制御手段とを備えた屋外照明装置であって、
前記制御手段は、
前記人体検知手段が人体を検知した場合又は隣接する屋外照明装置より前記通信手段によって調光開始信号を受信した場合に前記点灯手段の照度を第１の照度からこの第１の照度よりも高い第２の照度に切り替える点灯照度切替手段と、
前記人体検知手段が人体を検知した場合に前記通信手段により調光開始信号を隣接する屋外照明装置に対して送信する隣接照明制御手段とを備えた屋外照明装置。
【請求項２】
前記点灯照度切替手段は、前記人体検知手段が人体を検知した後に人体を検知しなくなった場合に前記点灯手段の照度を前記第２の照度から前記第１の照度に切り替えることを特徴とする請求項１記載の屋外照明装置。
【請求項３】
前記点灯照度切替手段は、人体を検知しなくなった場合に、一定時間経過後に前記第２の照度から前記第１の照度に切り替えることを特徴とする請求項２記載の屋外照明装置。
【請求項４】
前記隣接照明制御手段は、前記人体検知手段が人体を検知した後に人体を検知しなくなった場合に隣接する屋外照明装置に対して調光停止信号を送信することを特徴とする請求項１乃至３いずれかに記載の屋外照明装置。
【請求項５】
前記隣接照明制御手段は、人体を検知しなくなった場合に、一定時間経過後に隣接する屋外照明装置に対して調光停止信号を送信することを特徴とする請求項４記載の屋外照明装置。
【請求項６】
前記屋外照明装置は、さらに、人の悲鳴を検知する悲鳴検知手段を備え、
前記点灯照度切替手段は、当該悲鳴検知手段が人の悲鳴を検知した場合に、前記点灯手段の照度を前記第２の照度よりも高い第３の照度に切り替えることを特徴とする請求項１乃至５記載の屋外照明装置。
【請求項７】
前記制御手段は、さらに、悲鳴検知手段が人の悲鳴を検知した場合に、他の屋外照明装置に対して異常信号を送信する異常通知手段を備え、
前記点灯照度切替手段は、他の屋外照明装置から前記異常信号を受信した場合に、前記第３の照度に切り替えることを特徴とする請求項６記載の屋外照明装置。
【請求項８】
前記異常通知手段は、予め定められた遠隔監視装置に対して異常を通知することを特徴とする請求項７記載の屋外照明装置。
【請求項９】
前記請求項１乃至請求項８のいずれかの屋外照明装置を複数備えると共に、一の屋外照明装置に対して複数の人体検出手段を互いに離間して配置した屋外照明システム。
【請求項１０】
人の悲鳴を検知する悲鳴検知手段と、照度が可変である点灯手段と、他の屋外照明装置と通信を行う通信手段と、制御手段とを備えた屋外照明装置であって、
前記制御手段は、前記悲鳴検知手段が人の悲鳴を検知した場合に、前記点灯手段の照度を第１の照度よりも高い第２の照度に切り替える点灯照度切替手段を備えた屋外照明装置。
【請求項１１】
前記制御手段は、さらに、悲鳴検知手段が人の悲鳴を検知した場合に、他の屋外照明装置に対して異常信号を送信する異常通知手段を備え、
前記点灯照度切替手段は、他の屋外照明装置から前記異常信号を受信した場合に、前記第２の照度に切り替えることを特徴とする請求項１０記載の屋外照明装置。
【請求項１２】
前記異常通知手段は、予め定められた遠隔監視装置に対して異常を通知することを特徴とする請求項１１記載の屋外照明装置。
【請求項１３】
複数の屋外照明装置により屋外を照明する方法であって、
人体検知手段が人体を検知した場合又は隣接する屋外照明装置より調光開始信号を受信した場合に点灯手段の照度を第１の照度からこの第１の照度よりも高い第２の照度に切り替えるステップと、
人体検知手段が人体を検知した場合に調光開始信号を隣接する屋外照明装置に対して送信するステップとを備えた屋外照明方法。
【請求項１４】
複数の屋外照明装置により屋外を照明する方法であって、
悲鳴検知手段が人の悲鳴を検知するステップと、
人の悲鳴の検知に応じて点灯手段の照度を第１の照度よりも高い第２の照度に切り替えるステップを備えた屋外照明方法。
【請求項１５】
悲鳴検知手段が人の悲鳴を検知した場合に、他の屋外照明装置に対して異常信号を送信するステップと、
他の屋外照明装置から前記異常信号を受信した場合に、前記第２の照度に切り替えるステップとを有することを特徴とする請求項１４記載の屋外照明方法。
【発明の詳細な説明】
【０００１】
【発明の属する技術分野】
本発明は、屋外照明装置、屋外照明システム、及び屋外照明方法に関する。
【０００２】
【従来の技術】
従来、屋外照明システムでは、屋外の防犯灯が、ひったくりや痴漢などの路上犯罪防犯対策の一環として一般道路、公園、駐車場などに設置され、一灯あたり一定の光束で出力するようにされている。また、一般道路等では、電柱等に照明器具を取り付けたり、電柱がないところには自律型のポールを設置し、そのポールに照明器具を取り付けたりしている。
しかしながら、従来の屋外照明システムによると、照明器具の光束が一定の出力であり、かつ電柱等がまばらに配置されているため、配光分布がまばらになってしまう。そのため、照明器具の間に暗がりが発生してしまい、防犯対策上好ましくない状態となっている。さらに、その暗がりをなくすために照明器具の設置の数を増やすと、光害等の問題を生じさせてしまう。また、防犯灯のメンテナンス等を行うために、現場において照明器具各々の状態を調査する必要がある。そのため、照明器具の設置の数を増やすと、時間と人が多く必要となり、メンテナンス等の時間とコストが上昇してしまう。
尚、照明器具の明るさを制御する技術は、例えば特許文献１に開示されている。この特許文献１では、人体センサにより人を検出した場合には減光させており、また、複数の照明器具が連動して動作するものではない。そのため、防犯に対する対策を図ることができるものではない。また、悲鳴を検知する方法は、例えば特許文献２に開示されている。この特許文献２では、悲鳴を検知した場合の照明器具の制御については全く記載されていない。
【０００３】
【特許文献１】
特開平５−３４７１９０号公報
【特許文献２】
特開平９−２５１５８３号公報
【０００４】
【発明が解決しようとする課題】
このように、従来の屋外照明システムでは、照明器具の間に暗がりが発生するため、路上犯罪に対して防犯対策を十分に行うことができないという問題点があった。
【０００５】
本発明は、このような問題点を解決するためになされたもので、路上犯罪に対して防犯対策を十分に行うことができる屋外照明装置、屋外照明システム、及び屋外照明方法を提供することを目的とする。
【０００６】
【課題を解決するための手段】
本発明にかかる屋外照明装置は、人体を検知する人体検知手段（例えば、発明の実施の形態における人感センサ１３）と、照度が可変である点灯手段（例えば、発明の実施の形態におけるランプ１１）と、他の屋外照明装置と通信を行う通信手段（例えば、発明の実施の形態における制御機器１２の電波送受信部２３）と、制御手段（例えば、発明の実施の形態における制御機器１２）とを備えた屋外照明装置であって、前記制御手段は、前記人体検知手段が人体を検知した場合又は隣接する屋外照明装置より前記通信手段によって調光開始信号を受信した場合に前記点灯手段の照度を第１の照度からこの第１の照度よりも高い第２の照度に切り替える点灯照度切替手段（例えば、発明の実施の形態における点灯照度切替部２１１）と、前記人体検知手段が人体を検知した場合に前記通信手段により調光開始信号を隣接する屋外照明装置に対して送信する隣接照明制御手段（例えば、発明の実施の形態における隣接照明制御部２１２）とを備えたものである。このような構成により、人が通過するときに、隣接した屋外照明装置とともに照度を切り替えて屋外照明装置の間に暗がりが発生することを防止することができ、路上犯罪に対して防犯対策を十分に行うことができる。
【０００７】
また、本発明にかかる屋外照明装置では、前記点灯照度切替手段は、前記人体検知手段が人体を検知した後に人体を検知しなくなった場合に前記点灯手段の照度を前記第２の照度から前記第１の照度に切り替える。これにより、人が通過した後に照度を切り替え、屋外照明装置のエネルギー消費量を低減することができる。
【０００８】
好適には、本発明にかかる屋外照明装置では、前記点灯照度切替手段は、人体を検知しなくなった場合に、一定時間経過後に前記第２の照度から前記第１の照度に切り替える。これにより、人が通過した一定時間経過後でも切り替えられた照度で屋外照明装置の間に暗がりが発生することを防止することができ、路上犯罪に対して防犯対策を十分に行うことができる。
【０００９】
またさらに、本発明にかかる屋外照明装置では、前記隣接照明制御手段は、前記人体検知手段が人体を検知した後に人体を検知しなくなった場合に隣接する屋外照明装置に対して調光停止信号を送信する。好適には、前記隣接照明制御手段は、人体を検知しなくなった場合に、一定時間経過後に隣接する屋外照明装置に対して調光停止信号を送信する。これにより、人が通過した後に隣接した屋外照明装置の照度を切り替え、その屋外照明装置のエネルギー消費量も低減することができる。
【００１０】
本発明にかかる屋外照明装置では、前記屋外照明装置は、さらに、人の悲鳴を検知する悲鳴検知手段（例えば、発明の実施の形態における悲鳴センサ６３）を備え、前記点灯照度切替手段は、当該悲鳴検知手段が人の悲鳴を検知した場合に、前記点灯手段の照度を前記第２の照度よりも高い第３の照度に切り替える。これにより、異常時に、通過する人が悲鳴を発した場合に照度を切り替えてその人の周辺をより明るく照らすことができ、路上犯罪に対して防犯対策を十分に行うことができる。
【００１１】
また、本発明にかかる屋外照明装置では、前記制御手段は、悲鳴検知手段が人の悲鳴を検知した場合に、他の屋外照明装置に対して異常信号を送信する異常通知手段（例えば、発明の実施の形態における異常通知部２１３）を備え、前記点灯照度切替手段は、他の屋外照明装置から前記異常信号を受信した場合に、前記第３の照度に切り替える。これにより、異常時に、通過する人が悲鳴を発した場合に、隣接した屋外照明装置とともに照度を切り替えてその人の周辺をより明るく照らすことができ、路上犯罪に対して防犯対策を十分に行うことができる。
【００１２】
また、本発明にかかる屋外照明装置では、前記異常通知手段は、予め定められた遠隔監視装置に対して異常を通知する。これにより、異常時に、通過する人が悲鳴を発した場合に遠隔監視装置に通報することができ、人の異常時に迅速に対応することができる。
【００１３】
本発明にかかる屋外照明システムは、このような屋外照明装置を複数備えると共に、一の屋外照明装置に対して複数の人体検出手段（例えば、発明の実施の形態における人感センサ５８０、５８１、５８２、５８３）を互いに離間して配置したものである。このような構成により、人が通過するときに人体を確実に検知して照度を切り替えて屋外照明装置の間に暗がりが発生することを防止することができ、路上犯罪に対して防犯対策を十分に行うことができる。
【００１４】
他方、本発明にかかる屋外照明装置は、人の悲鳴を検知する悲鳴検知手段（例えば、発明の実施の形態における悲鳴センサ６３）と、照度が可変である点灯手段（例えば、発明の実施の形態におけるランプ１１）と、他の屋外照明装置と通信を行う通信手段（例えば、発明の実施の形態における制御機器１２の電波送受信部２３）と、制御手段（例えば、発明の実施の形態における制御機器１２）とを備えた屋外照明装置であって、前記制御手段は、前記悲鳴検知手段が人の悲鳴を検知した場合に、前記点灯手段の照度を第１の照度よりも高い第２の照度に切り替える点灯照度切替手段（例えば、発明の実施の形態における点灯照度切替部２１１）を備えたものである。このような構成により、異常時に、通過する人が悲鳴を発した場合に照度を切り替えてその人の周辺を明るく照らすことができ、路上犯罪に対して防犯対策を十分に行うことができる。
【００１５】
さらに、本発明にかかる屋外照明装置では、前記制御手段は、悲鳴検知手段が人の悲鳴を検知した場合に、他の屋外照明装置に対して異常信号を送信する異常通知手段（例えば、発明の実施の形態における異常通知部２１３）を備え、前記点灯照度切替手段は、他の屋外照明装置から前記異常信号を受信した場合に、前記第２の照度に切り替える。これにより、異常時に、通過する人が悲鳴を発した場合に、隣接した屋外照明装置とともに照度を切り替えてその人の周辺をより明るく照らすことができ、路上犯罪に対して防犯対策を十分に行うことができる。
【００１６】
さらにまた、本発明にかかる屋外照明装置では、前記異常通知手段は、予め定められた遠隔監視装置に対して異常を通知するものである。これにより、異常時に、通過する人が悲鳴を発した場合に遠隔監視装置に通報することができ、人の異常時に迅速に対応することができる。
【００１７】
本発明にかかる屋外照明方法は、複数の屋外照明装置により屋外を照明する方法であって、人体検知手段（例えば、発明の実施の形態における人感センサ１３）が人体を検知した場合又は隣接する屋外照明装置より調光開始信号を受信した場合に点灯手段（例えば、発明の実施の形態におけるランプ１１）の照度を第１の照度からこの第１の照度よりも高い第２の照度に切り替えるステップと、人体検知手段が人体を検知した場合に調光開始信号を隣接する屋外照明装置に対して送信するステップとを備えたものである。このような構成により、人が通過するときに照度を切り替えて屋外照明装置の間に暗がりが発生することを防止することができ、路上犯罪に対して防犯対策を十分に行うことができる。
【００１８】
他方、本発明にかかる屋外照明方法は、複数の屋外照明装置により屋外を照明する方法であって、悲鳴検知手段（例えば、発明の実施の形態における悲鳴センサ６３）が人の悲鳴を検知するステップと、人の悲鳴の検知に応じて点灯手段（例えば、発明の実施の形態におけるランプ１１）の照度を第１の照度よりも高い第２の照度に切り替えるステップを備えたものである。このような構成により、異常時に、通過する人が悲鳴を発した場合に照度を切り替えてその人の周辺を明るく照らすことができ、路上犯罪に対して防犯対策を十分に行うことができる。
【００１９】
また、本発明にかかる屋外照明方法では、悲鳴検知手段が人の悲鳴を検知した場合に、他の屋外照明装置に対して異常信号を送信するステップと、他の屋外照明装置から前記異常信号を受信した場合に、前記第２の照度に切り替えるステップとを有する。これにより、異常時に、通過する人が悲鳴を発した場合に、隣接した屋外照明装置とともに照度を切り替えてその人の周辺をより明るく照らすことができ、路上犯罪に対して防犯対策を十分に行うことができる。
【００２０】
【発明の実施の形態】
以下、本発明の実施の形態について図を参照して説明する。
発明の実施の形態１．
まず、図１を用いて、本実施の形態における屋外照明装置（以下、照明灯と略す）の一構成例について説明する。図１は、屋外照明装置の一構成例を示す側面図である。
図１に示すように、照明灯１０は、ランプ１１、制御機器１２、人感センサ１３、自動点滅器１４、電子安定器１５、ポール１６を備える。
【００２１】
ランプ１１は、蛍光灯、ナトリウムランプ、水銀ランプ等である。後述するように、ランプ１１は、光束を調光出力するため、調光しやすい蛍光灯であることが好ましい。制御機器１２は、ランプ１１の光束を調光出力する等の各種機能を制御する機能を有する。人感センサ１３は、赤外線センサ等の光センサ、熱センサ、超音波センサであり、照明灯１０の周辺にいる人体を感知する機能を有する。
【００２２】
自動点滅器１４は、周囲の明るさに応じてランプ１１を自動的に点灯させる機能を有し、夕方や夜間のように周囲が暗くなったときにランプ１１を点灯させる。また、自動点滅器１４は、夜間のような時間帯を予め設定しておき、周囲の明るさに関わらず、予め設定した時間帯のみランプ１１を点灯させるようにしてもよい。電子安定器１５は、ランプ１１を点灯するためのインバータ回路である。この電子安定器１５は、さらに、後述するようなランプ１１の光束を調光出力する調光出力回路を有する。
ポール１６は、金属や合成樹脂等から構成された柱であり、前述のランプ１１や制御機器１２等の各種機器を地上高くに保持する機能を有する。
【００２３】
照明灯１０は、自動点滅器１４により周囲の明るさが判断され、例えば夕暮れになると、ランプ１１の点灯開始を示す信号が制御機器１２に送られる。制御機器１２は、後述するように、例えば照度３０％というように、点灯時において調光出力する光束の設定値を保持している。そして、制御機器１２は、この設定値に基づいてランプ１１を点灯させる信号を電子安定器１５に送る。電子安定器１５は、この信号を受け、例えば照度３０％でランプ１１を点灯開始させる。
【００２４】
続いて、図２を用いて、照明灯１０の制御機器１２について詳細に説明する。図２は、制御機器１２の一構成例を示すブロック図である。
図２に示すように、制御機器１２は、制御部２１、記憶部２２、電波送受信部２３、人感センサ検知判定部２４、電波受信判定部２５、調光出力設定部２６、電波強さ調節部２７、タイマー２８、タイマー保持時間調節部２９、データバス３０を備える。
【００２５】
制御部２１は、ＣＰＵ、ＭＰＵ等であり、制御機器１２の種々の機能を実現するための制御を行う。制御部２１は、点灯照度切替部２１１、隣接照明制御部２１２を有する。点灯照度切替部２１１は、電子安定器１５によりランプ１１の照度を切り替える機能を有する。隣接照明制御部２１２は、後述するような隣接照明灯の調光出力を制御するための調光開始信号、調光停止信号を電波送受信部２３により送信する機能を有する。
【００２６】
記憶部２２は、ＲＡＭ、ＲＯＭ等であり、制御機器１２の種々の機能を実現するためのプログラム等が格納されている。制御部２１は、この記憶部２２に格納されたプログラムに従って各種機能を実現させる。また、記憶部２２には、後述する調光出力設定部２６、電波強さ調節部２７、タイマー保持時間調節部２９により設定された設定値が格納されている。
【００２７】
電波送受信部２３は、無線モジュールであり、アンテナ、変復調回路等により構成される。この電波送受信部２３は、隣接照明灯との間で、後述する調光開始信号や調光停止信号を出力する機能を有する。ここで、調光開始信号とは、隣接照明灯に調光出力の開始を要求する信号であり、調光停止信号とは、隣接照明灯に調光出力の停止を要求する信号である。なお、本実施の形態においては、照明灯１０は、電波送受信部２３を介して隣接照明灯と無線により通信するが、有線により通信するように構成してもよい。
【００２８】
人感センサ検知判定部２４は、人感センサ１３による人体の検出を監視し、人体が検知されたか否かを判定する機能を有する。電波受信判定部２５は、電波送受信部２３による隣接照明灯からの電波の受信を監視し、隣接照明灯から電波を受信したか否かを判定する機能を有する。
【００２９】
調光出力設定部２６は、ランプ１１が点灯したときの光束を設定する機能を有する。この調光出力設定部２６が設定した調光出力の範囲は、照明灯１０の設置初期に設定される。この設定された設定値により、人感センサ１３が人を検知した時の調光出力設定が加減され、照明灯１０の明るさ範囲は、照明灯１０と隣接照明灯との間の距離や配光に応じて設定される。この調光出力の範囲は、調光出力時に暗がりができないように設定され、例えば通常時は３０％の照度で調光出力時は７０％の照度となるように設定することができる。なお、通常時には、省電力化の観点から出力値が低く設定されており、隣接照明灯との間で暗がりが発生する場合がある。
【００３０】
電波強さ調節部２７は、電波送受信部２３から送信される電波の強さを調整する機能を有する。この電波強さ調節部２７により設定された電波の強さも、照明灯１０と隣接照明灯との間の距離を考慮して設定される。また、電波送受信部２３により送受信される電波信号の送受信範囲は、その電波の減衰に基づいて決定されるので、電波強さ調節部２７により電波出力の強弱を調節することによって、電波信号の送受信範囲を変更でき、照明灯がまばらに設置された場合にも対応させることができる。
【００３１】
タイマー２８は、後述するように、ランプ１１が点灯し続ける時間を計測する機能を有する。タイマー保持時間調節部２９は、タイマー２８が起動する保持時間を設定する機能を有する。このタイマー保持時間調節部２９により設定されるタイマー保持時間は、例えば、人が照明灯１０から隣接照明灯まで歩く時間より少し長めに設定し、十分な明るさの中で人が通行できるようにする。
データバス３０は、前述の各構成部がデータを交換するための経路である。
【００３２】
さらに続いて、図３を用いて、照明灯１０の人感センサ１３について詳細に説明する。図３は、人感センサ１３の一構成例を示すブロック図である。
図３に示すように、人感センサ１３は、赤外線センサ３１、アナログ処理部３２、Ａ／Ｄ変換部３３を備える。
【００３３】
赤外線センサ３１は、人体から発せられる赤外線を検出し、その赤外線量を電気信号に変換する機能を有する。アナログ処理部３２は、赤外線センサ３１で検出した人体を示す電気信号に増幅等の処理を施す機能を有する。Ａ／Ｄ変換部３３は、アナログ処理部３２で信号処理されたアナログ信号をデジタル変換する機能を有する。このデジタル信号は、人感センサ１３が検知した人体を示す人体検知信号として制御機器１２に入力される。
【００３４】
次に、照明灯１０が行う動作について説明する。図４は、照明灯１０の動作を示すフローチャートである。本発明の実施の形態における照明灯１０は、人を検知した場合又は隣接照明灯から調光開始信号を受信した場合に、所定の照度となるように調光出力する。
図４に示すように、Ｓ４１において人感センサ１３が人体を検知した場合、人感センサ１３は、データバス３０を介して人感センサ検知判定部２４に人感検知信号を入力する。人感センサ検知判定部２４は、この人感検知信号に応じて人体の検知を判定する。
【００３５】
人感センサ検知判定部２４が人感センサ１３により人体が検知されたと判定した場合、電波送受信部２３は、隣接照明灯に対して照明灯１０に関する調光開始信号を送信する（Ｓ４２１）。そして、制御機器１２の制御部２１は、ランプ１１を通常の照度３０％の状態から調光出力時の照度７０％の状態となるように制御し、電子安定器１５は、ランプ１１を照度７０％の明るさにする（Ｓ４３１）。
【００３６】
その後、Ｓ４４１において、制御部２１は、人感センサ検知判定部２４により人感センサ１３が人体を検知していないと判断されるまで照度７０％を保ち続ける。人感検知信号が人感センサ１３から制御機器１２に入力されないとき、人感センサ検知判定部２４は人感センサ１３により人体が検知されなくなったと判定する。この人感センサ感知判定部２４による人体非検知判定にともなって、制御部２１はタイマー２８を起動させる（Ｓ４５）。
【００３７】
Ｓ４６においてタイマー２８がタイムアップした場合には、電波送受信部２３は、隣接照明灯に対して照明灯１０に関する調光停止信号を送信する（Ｓ４７）。そして、制御部２１は、ランプ１１を調光出力時の照度７０％の状態から通常の照度３０％の状態となるように制御し、電子安定器１５は、ランプ１１を照度３０％の明るさにする（Ｓ４８）。
【００３８】
他方、Ｓ４１において、人感センサ１３から制御機器１２に人体検知信号が入力されないとき、人感センサ検知判定部２４は、人感センサ１３により人体が検知されていないと判定する。このとき、Ｓ４２２において、電波送受信部２３が隣接照明灯から照明灯１０の調光出力を開始させる調光開始信号を受信すると、電波受信判定部２５は、電波送受信部２３が調光開始信号を受信したと判定する。そして、制御部２１は、この電波受信判定部２５による受信判定にともなって、ランプ１１を照度３０％から照度７０％になるように制御し、電子安定器１５は、ランプ１１を照度７０％の明るさにする（Ｓ４３２）。
【００３９】
Ｓ４４２において、制御部２１は、電波受信判定部２５が、隣接照明灯に関する調光停止信号を隣接照明灯から受信したと判定するまで、ランプ１１を照度７０％に保ち続ける。そして、制御部２１は、電波受信判定部２５が調光停止信号を受信したと判定すると、ランプ１１を照度７０％から照度３０％になるように制御し、電子安定器１５は、ランプ１１を照度３０％の明るさにする（Ｓ４８）。
【００４０】
なお、照明灯１０は、人の検知に基づく調光出力処理（Ｓ４１からＳ４７）を最優先に行う。すなわち、照明灯１０は、人を検知してランプ１１を照度７０％に制御している間（Ｓ４１からＳ４３１の間）に、隣接照明灯から調光停止信号を受信したとしても、調光停止信号に基づいてランプ１１を照度７０％から照度３０％に切り替えず、Ｓ４１からＳ４８に至る調光出力処理を行う。また、照明灯１０は、タイマー２８を起動してランプ１１を照度７０％に制御している間（Ｓ４４１からＳ４６の間）に、隣接照明灯から調光停止信号を受信した場合も同様に、Ｓ４１からＳ４８に至る調光出力処理を優先して行う。
【００４１】
またなお、照明灯１０は、人の検知に基づく調光出力処理（Ｓ４１からＳ４７）中に隣接照明灯から調光開始信号を受信したとしても、この調光出力処理を持続する。すなわち、照明灯１０は、この調光出力処理の間（Ｓ４１からＳ４７の間）に、隣接照明灯から調光開始信号を受信した後に調光停止信号を受信したとしても、Ｓ４２２からＳ４４２に示すように調光停止信号に基づいてランプ１１を照度７０％から照度３０％に切り替えず、Ｓ４１からＳ４８に至る調光出力処理を行う。
【００４２】
さらになお、照明灯１０は、Ｓ４２２、Ｓ４３２に示す隣接照明灯から調光開始信号を受信して照度７０％の状態を維持しているときに、人感センサ１３が人を検知した場合には、Ｓ４２２からＳ４４２に至る処理を途中でキャンセルし、人の検知に基づく調光出力処理（Ｓ４１からＳ４８）を行う。その際、Ｓ４３２において照明灯１０が照度７０％の状態に維持された状態から、Ｓ４４１からＳ４８に至る調光出力処理を実行するようにしてもよい。
【００４３】
このような照明灯１０を用いた屋外照明システムについて説明する。
まず、図５を用いて、屋外照明システムの概略について説明する。図５は、屋外照明システムの一構成例を示す概略模式図である。図５に示すように、当該屋外照明システムは、地表５６上に設けられた複数の照明灯１０１、１０２、１０３から構成されている。これらの照明灯１０１、１０２、１０３は、前述の照明灯１０から構成されている。
【００４４】
図５に示すように、地表５６を歩行する歩行者５５は、照明灯１０１の周辺を図中矢印の方向に歩行しており、これにともなって照明灯１０１、１０２が照度７０％で調光出力している。５７１、５７２は、照明灯１０１、１０２それぞれの照明範囲を示す。また、照明灯１０３は、照明灯１０１からの調光開始信号が到達する範囲にはなく、通常の照度３０％で調光出力し、照明範囲５７３を照らしている。
【００４５】
続いて、図６を用いて、屋外照明システムが行う動作について図７を参照しつつ説明する。図６は、屋外照明システムの動作を示すタイミングチャートである。図７は、屋外照明システムの照明範囲を示す概略模式図である。また、図６において、「ＨＩ」は照明灯１０１、１０２、１０３の照度が７０％の状態を示し、「ＬＯ」は照明灯１０１、１０２、１０３の照度が３０％の状態を示す。
なお、図６には図示しないが、照明灯１０１、１０２、１０３の各ランプに順に１１１、１１２、１１３の符号を、各制御機器に順に１２１、１２２、１２３の符号を、各人感センサに順に１３１、１３２、１３３の符号を、各タイマーに順に２８１、２８２、２８３の符号を付している。
【００４６】
いま、図７（ａ）に示すように、照明灯１０１、１０２、１０３すべてが、照度３０％でランプ１１を点灯させ、それぞれ照明範囲５７１０、５７２０、５７３０を照らしている。この状態から、図５に示したように、照明灯１０１が人感センサ１３１により歩行者５５を検知すると、照明灯１０１の制御機器１２１は、ランプ１１１を照度３０％から照度７０％に切り替える。それとともに、照明灯１０１は、照明灯１０２に対して調光開始信号を送信する。
【００４７】
この調光開始信号を受信した照明灯１０２は、ランプ１１２を照度３０％から照度７０％に切り替え、照明灯１０１、１０２のランプ１１１、１１２がともに照度７０％で点灯している。図７（ｂ）に示すように、これらの照明灯１０１、１０２の切り替えにより、照明灯１０１、１０２のそれぞれは、照明範囲５７１０、５７２０よりも広範な照明範囲５７１１、５７２１を照らす。
【００４８】
その後、歩行者５５が照明灯１０１を通り過ぎて照明灯１０２の周辺に至ると、照明灯１０１が歩行者５５を検知しなくなる。それにともなって、照明灯１０１は、ランプ１１１を照度７０％の状態で維持するために、そのタイマー２８１を起動する。所定のタイマー保持時間の後、照明灯１０１は、タイマー２８１が停止すると、照明灯１０２に対して調光停止信号を送信する。
【００４９】
歩行者５５が周辺に至った照明灯１０２は、その人感センサ１３２が歩行者５５を検知する。すると、照明灯１０２の制御機器１２２は、ランプ１１２を照度３０％から照度７０％に切り替え、照明灯１０１、１０３に対して調光開始信号を送信する。照明灯１０１は、照明灯１０２から調光開始信号を受信するが、タイマー２８１が起動しているため、この調光開始信号に関わりなくランプ１１１を照度７０％の状態に維持している。
【００５０】
ここで、図６に示すように、照明灯１０２は、照明灯１０１に調光開始信号を送信した後に、照明灯１０１から調光停止信号を受信する。しかし、照明灯１０２では、人感センサ１３２による歩行者５５の検知に基づく調光出力処理が優先され、照明灯１０１からの調光停止信号に基づく照度の切り替えは行われない。これにより、照明灯１０２のランプ１１２は、照度７０％で点灯し続ける。
【００５１】
照明灯１０２からの調光開始信号を受信した照明灯１０３は、ランプ１１３を照度３０％から照度７０％に切り替え、図７（ｃ）に示すように、照明灯１０１、１０２、１０３のランプ１１１、１１２、１１３がすべて照度７０％で点灯し、照明範囲５７１１、５７２１、５７３１が照らされている。そして、歩行者５５が照明灯１０２を通り過ぎて照明灯１０３の周辺に至ると、照明灯１０２が歩行者５５を検知しなくなる。それにともなって、照明灯１０２は、そのタイマー２８２を起動して、タイマー２８２が停止するまでランプ１１２を照度７０％の状態に維持する。
【００５２】
照明灯１０２は、タイマー２８２が停止すると、照明灯１０１、１０３に対して調光停止信号を送信する。この調光停止信号を受信した照明灯１０１は、歩行者５５を検知せず、かつ調光開始信号を受信していないため、ランプ１１１を照度７０％から照度３０％へと切り替える。
【００５３】
歩行者５５が周辺に至った照明灯１０３は、その人感センサ１３３が歩行者５５を検知し、制御機器１２３によりランプ１１３を照度３０％から照度７０％に切り替える。それとともに、照明灯１０３の制御機器１２３は、照明灯１０２に対して調光開始信号を送信する。
ここで、図６に示すように、照明灯１０３は、照明灯１０２に調光開始信号を送信した後に照明灯１０２から調光停止信号を受信するが、前述の照明灯１０１と同様に、そのランプ１１１を照度７０％で点灯し続ける。
【００５４】
照明灯１０３からの調光開始信号を受信した照明灯１０２は、タイマー２８２が起動しているため、ランプ１１２を照度７０％の状態に維持し、図７（ｄ）に示すように、照明灯１０２、１０３のランプ１１２、１１３それぞれは、照度７０％で照明範囲５７２１、５７３１を照らしている。
【００５５】
歩行者５５が照明灯１０３を通り過ぎ、照明灯１０３が歩行者５５を検知しなくなると、照明灯１０３は、そのタイマー２８３を起動する。このタイマー２８３の停止にともなって、照明灯１０３は、ランプ１１３を照度７０％から照度３０％の状態に切り替える。
【００５６】
それとともに、照明灯１０３は、照明灯１０２に対して調光停止信号を送信する。この調光停止信号を受信した照明灯１０２は、ランプ１１２を照度７０％から照度３０％の状態に切り替え、照明灯１０１、１０２、１０３が図７（ａ）の状態に戻る。
【００５７】
以上のように、照明灯１０は、通常時には照度３０％の一般的な照度によって点灯し、人が通行する場合には、照度７０％に調光出力を上げる。それとともに、照明灯１０は、隣接照明灯に対して調光開始信号を送信し、照明灯１０と連動して隣接照明灯の調光出力も高める。そのため、照明灯１０の位置を中心に通行人が通る周辺の照明灯の光束を上げて明るさを増すことができ、照明灯間に暗がりが発生するのを防止することができる。これにより、路上犯罪を未然に防ぐための防犯対策を十分に行うことができ、通行人は安心して通行することができる。
【００５８】
さらに、照明灯１０は、人が通り過ぎて通行人を検知しなくなると、調光出力時の照度７０％から通常時の照度３０％に調光出力を下げる。それとともに、照明灯１０が隣接照明灯に対して調光停止信号を送信すると、隣接照明灯は、調光停止信号を受信して、調光出力時の照度７０％から通常時の照度３０％に調光出力を下げる。これにより、照明灯１０や隣接照明灯が点灯する際の消費電力量を押えることができ、照明灯１０の維持コストを低減することができる。加えて、照明灯１０が通行人の通過しないときは通常時の照度３０％に下がっているため、過度に明るい照明灯による光害を防止することができる。
【００５９】
また、照明灯１０は、通行人を検知しなくなった後、タイマー保持時間の間だけタイマー２８を起動して調光出力時の照度７０％を維持する。そのため、照明灯１０は、通行人が通り過ぎた後も一定の時間だけ照度７０％で通行人を確実に照らすことができる。これにより、路上犯罪を未然に防ぐための防犯性をより高めることができ、通行人は心から安心して通行することができる。
【００６０】
なお、上述の例では隣接する１つの照明灯に対して調光開始信号、調光停止信号を送信することとしたが、これに限らず、隣接する２つ以上の照明灯に対してこれらの信号を送信するようにしてもよい。また、照明灯は、不特定多数の隣接照明灯に対して調光開始信号、調光停止信号を同時に同報通信するようにしてもよいし、ある特定の隣接照明灯に対して調光開始信号、調光停止信号を送信し、この特定の隣接照明灯から他の隣接照明灯へ、この他の隣接照明灯から次の隣接照明灯へと順に各隣接照明灯を中継して調光開始信号、調光停止信号を送信するようにしてもよい。
【００６１】
また、調光開始信号、調光停止信号の送信先の照明灯は、個々の照明灯に固有の識別情報を用いて特定するようにしてもよい。例えば、照明灯１０２に対して調光開始信号を送信する場合には、通信パケット中に照明灯１０２の識別情報を含めて送信する。照明灯１０２は、この通信パケット中の識別情報を確認した上で調光開始信号を取得する。この場合には、この連続的な信号の立ち上がりが調光開始信号であり、その立下りが調光停止信号である。
【００６２】
さらになお、上述の例では、調光の開始時及び停止時に各々独立した調光開始信号及び調光停止信号を送信するようにしたが、これに限らず、調光開始時に送信を開始し、調光停止時に送信を停止す連続的な信号であってもよい。
【００６３】
発明の実施の形態２．
発明の実施の形態２において、図８を用いて、本発明の実施の形態における屋外照明装置を用いた屋外照明システムの他の構成例について説明する。ここで、発明の実施の形態２における屋外照明装置は、発明の実施の形態１における屋外照明装置と同様であり、その説明は省略する。
【００６４】
図８は、屋外照明システムの他の構成例を示す概略模式図である。図８（ａ）に示すように、照明灯１０１の周辺に人感センサ５８０、５８１が設けられ、照明灯１０２の周辺には人感センサ５８２、５８３が設けられている。これらの人感センサ５８０、５８１、５８２、５８３は、照明灯１０１、１０２の人感センサ１３１、１３２と同様のものとすることができる。また、人感センサ５８０、５８１、５８２、５８３は、図８においては地表５６に設けられているが、例えば道路に連接する家屋の塀や道路沿いに設けられた電柱等の設置物に設けてもよい。
【００６５】
図８（ｂ）に示すように、照明灯１０１、１０２の人感センサ１３１、１３２は、それぞれ検知範囲１０１１、１０２１に人がいる場合に、その人を検出することができる。発明の実施の形態１における屋外照明システムでは、歩行者５５が照明灯１０１の検知範囲１０１１から出て照明灯１０２の検知範囲１０１２に入るまでの間、照明灯１０１はタイマーをタイマー保持間の間だけ起動して照度７０％で点灯していた。
【００６６】
これに対して、発明の実施の形態２においては、照明灯１０１の周辺に人感センサ５８０、５８１を設け、照明灯１０１は、人感センサ１３１とともに人感センサ５８０、５８１によって人を検知する。すなわち、照明灯１０１は、検知範囲１０１１に加えて検知範囲５９０、５９１に人が入った場合にその人を検知し、ランプ１１１から調光出力する。
照明灯１０２についても同様に、照明灯１０２は、人感センサ１３２の検知範囲１０２１に加えて、人感センサ５８２の検知範囲５９２、若しくは人感センサ５８３の検知範囲５９３に人が入った場合にその人を検知し、ランプ１１２から調光出力する。
【００６７】
以上のように、照明灯１０１の周辺に人感センサ５８０、５８１を設けることにより、照明灯１０１の周辺の通行人を確実に検知することができる。これにより、照明灯間に暗がりが発生するのを確実に防止することができ、路上犯罪を未然に防ぐための防犯性をより一層高めることができる。
【００６８】
発明の実施の形態３．
発明の実施の形態３において、本発明の実施の形態における屋外照明装置を用いた屋外照明装置の他の構成例について説明する。図９に示すように、発明の実施の形態３における屋外照明装置は、人感センサ１３に替えて、歩行者の悲鳴を検知する悲鳴センサを制御機器１２内に有する。
【００６９】
まず、この図９を用いて、照明灯１０の制御機器１２について詳細に説明する。図９は、制御機器１２の他の構成例を示すブロック図である。図９に示すように、制御機器１２は、図２に示した制御部２１、記憶部２２、電波送受信部２３、調光出力設定部２６、電波強さ調節部２７、タイマー２８、タイマー保持時間調節部２９に加えて、悲鳴センサ検知判定部６１、異常通報生成部６２、悲鳴センサ６３を備える。
【００７０】
また、記憶部２２、電波送受信部２３、調光出力設定部２６、電波強さ調節部２７、タイマー２８、タイマー保持時間調節部２９が発明の実施の形態１と同様であるため、その説明を省略し、制御部２１、悲鳴センサ検知判定部６１、異常通知生成部６２について説明する。また、悲鳴センサ６３については、後述の図１０において説明する。
【００７１】
図９に示すように、制御部２１は、点灯照度切替部２１１、隣接照明制御部２１２に加えて、異常通知部２１３を有する。異常通知部２１３は、後述するような隣接照明灯の調光出力を制御するための異常信号を送信する機能を有する。ここで、点灯照度切替部２１１、隣接照明制御部２１２については、発明の実施の形態１と同様であるため、その説明を省略する。
【００７２】
悲鳴センサ検知判定部６１は、後述する悲鳴センサ６３による人の悲鳴の検知を監視し、人の悲鳴を検知したか否かを判定する機能を有する。悲鳴センサ検知判定部６１は、悲鳴センサ６３から入力された信号を分析し、入力された信号が悲鳴を示すか否かを判定する。
【００７３】
異常通報生成部６２は、人の悲鳴が検知されたときに異常通報を示す異常通報信号を生成する機能を有する。また、異常通知生成部６２で生成された異常通知は、異常通知部２１３により、電波送受信部２３から後述する遠隔監視装置に対して送信される。
【００７４】
続いて、図１０を用いて、制御機器１２の悲鳴センサ６３について詳細に説明する。図１０は、悲鳴センサ６３の一構成例を示すブロック図である。
図１０に示すように、悲鳴センサ６３は、マイク７１、アナログ処理部７２、Ａ／Ｄ変換部７３、周波数分離部７４を備える。
【００７５】
マイク７１は、人が発する声や外界の音声を検出し、その音声を電気信号に変換する機能を有する。アナログ処理部７２は、マイク７１で検出した音声を示す電気信号に増幅等の処理を施す機能を有する。Ａ／Ｄ変換部７３は、アナログ処理部３２で信号処理されたアナログ信号をデジタル変換する機能を有する。
周波数分離部７４は、Ａ／Ｄ変換部７３から入力されたデジタル信号から所望の周波数を分離する機能を有する。周波数分離部７４は、一定の帯域の周波数を分離する機能を有する。周波数分離部７４は、歩行者５５により発せられた悲鳴を検知するため、高い周波数を分離する高域通過フィルタとすることができる。この周波数分離されたデジタル信号は、悲鳴センサ６３が検知した人の悲鳴を示す悲鳴検知信号として制御機器１２に入力される。
【００７６】
次に、照明灯１０が行う動作について説明する。図１１は、照明灯１０の動作を示すフローチャートである。
図１１に示すように、Ｓ８１において悲鳴センサ６３が人の悲鳴を検知した場合、悲鳴センサ６３は、データバス３０を介して悲鳴センサ検知判定部６１に悲鳴センチ信号を入力する。悲鳴センサ検知判定部６１は、この悲鳴検知信号に応じて悲鳴の検知を判定する。悲鳴センサ検知判定部６１が悲鳴センサ６３により人の悲鳴が検知されたと判定する場合、タイマー２８が起動される（Ｓ８２）。そして、照明灯１０は、電波送受信部２３から、隣接照明灯を含めて他の照明灯に対して、照明灯１０の周辺を通る人の異常時において隣接照明灯に調光出力を要求する異常信号を送信する（Ｓ８３）。
【００７７】
制御機器１２の制御部２１は、悲鳴センサ検知判定部６１が悲鳴センサ６３により悲鳴を検出したと判定したのにともなって、ランプ１１が通常の照度３０％の状態から異常時の照度１００％の状態となるように制御し、電子安定器１５は、ランプ１１を照度１００％の明るさにする（Ｓ８４）。ここで、異常時の場合、ランプ１１の照度は、人が通過して調光出力する場合の７０％よりも高い照度に設定され、調光出力設定部２６により１００％に設定されている。
【００７８】
制御機器１２の悲鳴センサ検知判定部６１が悲鳴センサ６３により人の悲鳴を検知したと判定すると、異常通報生成部６２は、異常通報を示す異常通報信号が生成する。そして、電波送受信部２３は、後述する中継装置や遠隔監視装置に対して、この異常通報信号を送信する（Ｓ８５）。
【００７９】
電波送受信部２３から送信される異常信号は、タイマー２８が停止するまで送信し続けられる（Ｓ８６）。Ｓ８６においてタイマー２８が停止すると、他の照明灯に対して異常信号を送信するのを停止する（Ｓ８７）。そして、制御部２１は、タイマー２８が停止したのを受けて、ランプ１１が異常時の照度１００％の状態から通常の照度３０％の状態となるように制御し、電子安定器１５は、ランプ１１を照度３０％の明るさに戻す（Ｓ８８）。
【００８０】
このような照明灯１０を用いた屋外照明システムについて説明する。
まず、図１２を用いて、屋外照明システムの概略について説明する。図１２は、屋外照明システムの他の構成例を示す概略模式図である。図１２に示すように、当該屋外照明システムは、複数の照明灯１０１、１０２、１０３、中継装置９１、遠隔監視装置９２から構成されている。
【００８１】
照明灯１０１、１０２、１０３が人の悲鳴を検知すると、異常通報を中継装置９１に送信する。遠隔監視装置９２は、この異常通報を受信して遠隔監視装置９２に転送する。そして、遠隔監視装置９２は、例えば、警察・病院等の施設に緊急通報をしたり、照明灯１０１、１０２、１０３の場所に人を派遣したりして、異常通報に対する適切な処理を行う。
【００８２】
続いて、図１３を用いて、屋外照明システムが行う動作について説明する。図１３は、屋外照明システムの動作を示すタイミングチャートである。なお、図１３には図示しないが、悲鳴センサ６３１は、照明灯１０１の悲鳴センサを示している。
【００８３】
図１３に示すように、照明灯１０１が悲鳴センサ６３１により歩行者５５の悲鳴を検知すると、そのタイマー２８１を起動させる。それとともに、照明灯１０１の制御機器１２１は、ランプ１１１を照度３０％から照度１００％に切り替える。
【００８４】
照明灯１０１は、悲鳴センサ６３１による悲鳴の検出にともなって、照明灯１０２、１０３に対して異常信号を送信する。異常信号は、タイマー２８１が起動し続ける間、送信され続ける。この異常信号を受信した照明灯１０２、１０３のそれぞれは、ランプ１１２、１１３を照度３０％から照度１００％に切り替え、照明灯１０１、１０２、１０３のランプ１１１、１１２、１１３すべてが照度１００％で点灯している。
【００８５】
照明灯１０１のタイマー２８１が停止すると、照明灯１０１の制御機器１２１は、ランプ１１１の照度１００％から照度３０％に切り替える。それとともに、照明灯１０１のタイマー２８１が停止すると、照明灯１０１から異常信号が送信されるのが停止する。異常信号を受信しなくなった照明灯１０２、１０３のそれぞれは、ランプ１１２、１１３を照度１００％から照度３０％に切り替え、照明灯１０１、１０２、１０３は通常の状態へと戻る。
【００８６】
以上のように、照明灯１０は、通常時には照度３０％の一般的な照度によって点灯し、通行人に異常が発生した場合には、照度１００％に調光出力を上げる。それとともに、照明灯１０は、隣接照明灯に対して異常信号を送信し、照明灯１０と連動して隣接照明灯の調光出力も高める。そのため、異常時に、照明灯１０の位置を中心に通行人が通る周辺の照明灯の光束を上げて明るさを増すことができ、異常が生じた通行人の周辺を明るく照らすことができる。これにより、通行人は人の顔を判別でき、路上犯罪が起きたときの防犯対策を十分に行うことができる。
【００８７】
さらに、照明灯１０は、通行人の異常がなくなると、調光出力時の照度１００％から通常時の照度３０％に調光出力を下げる。それとともに、照明灯１０が隣接照明灯に対して異常信号を送信するのを停止し、隣接照明灯は、異常信号を受信することがなくなり、調光出力時の照度１００％から通常時の照度３０％に調光出力を下げる。これにより、照明灯１０や隣接照明灯が点灯する際の消費電力量を押えることができ、照明灯１０の維持コストを低減することができる。加えて、照明灯１０が通行人に異常がないときは通常時の照度３０％に下がっているため、過度に明るい照明灯による光害を防止することができる。
【００８８】
また、照明灯１０は、異常時に、遠隔監視装置９２に対して異常通報を送信し、通行人に異常が発生したことを通報する。そのため、通行人の異常を素早く感知することができ、通行人の異常時に対して迅速に対応することができる。これにより、路上犯罪が起きたときの防犯性をより高めることができ、通行人はより一層安心して通行することができる。
【００８９】
なお、上述の例では、照明灯は、不特定多数の隣接照明灯に対して異常信号を同時に送信する（同報通信）が、ある特定の隣接照明灯に対して異常信号を送信し、この特定の隣接照明灯から他の隣接照明灯へ、そしてこの他の隣接照明灯から次の隣接照明灯へと順に各隣接照明灯を中継して異常信号を送信するようにしてもよい。
【００９０】
なお、照明灯１０は、電力量計を設置された構成とし、照明灯１０の消費電力量を計測してもよい。この場合、照明灯１０の使用電力量を計測することができる。さらに、照明灯１０は、計測した使用電力量を遠隔監視装置９２に対して送信してもよい。これにより、照明灯１０が使用した電力量を定期的に管理拠点に送付し、エネルギー管理、メンテナンス等を行うことができる。そのため、照明灯１０のランプ１１の寿命管理を行え、常時照度を保ちつつエネルギー使用量を適切に保つことができる。
【００９１】
またなお、遠隔監視装置９２は、照明灯１０から受信する消費電力量を積算し、積算した消費電力に基づいて点灯異常を判断するようにしてもよい。これにより、照明灯１０のメンテナンスを容易に行うことができ、照明灯１０の調査やメンテナンスに必要な時間や労力を削減することができる。
【００９２】
なお、本発明の実施の形態では、照度３０％、７０％、１００％に設定する場合について説明したが、これに限らず、任意の照度に設定することができる。
【００９３】
【発明の効果】
本発明によれば、路上犯罪に対して防犯対策を十分に行うことができる屋外照明装置、屋外照明システム、及び屋外照明方法を提供することができる。
【図面の簡単な説明】
【図１】本発明の実施の形態における屋外照明装置を示す概略模式図である。
【図２】本発明の実施の形態における屋外照明装置の一構成例を示すブロック図である。
【図３】本発明の実施の形態における人感センサの一構成例を示すブロック図である。
【図４】本発明の実施の形態における屋外照明装置の動作を示すフローチャートである。
【図５】本発明の実施の形態における屋外照明システムを示す概略模式図である。
【図６】本発明の実施の形態における屋外照明システムの動作を示すタイミングチャートである。
【図７】本発明の実施の形態における屋外照明システムの照明範囲を示す概略模式図である。
【図８】本発明の実施の形態における屋外照明システムを示す概略模式図である。
【図９】本発明の実施の形態における屋外照明装置の他の構成例を示すブロック図である。
【図１０】本発明の実施の形態における音声センサの一構成例を示すブロック図である。
【図１１】本発明の実施の形態における屋外照明装置の動作を示すフローチャートである。
【図１２】本発明の実施の形態における屋外照明システムの他の一例を示す概略模式図である。
【図１３】本発明の実施の形態における屋外照明システムの他の動作を示すタイミングチャートである。
【符号の説明】
１０  照明灯、１１  ランプ、１２  制御機器、１３  人感センサ、１４  自動点滅器、１５  電子安定器、１６  ポール、２１  制御部、２１１  点灯照度切替部、２１２  隣接照明制御部、２１３  異常通知部、２２  記憶部、２３  電波送受信部、２４  人感センサ検知判定部、２５  電波受信判定部、２６  調光出力設定部、２７  電波強さ調節部、２８  タイマー、２９  タイマー保持時間調節部、３０  データバス、３１  赤外線センサ、３２  アナログ処理部、３３Ａ／Ｄ変換部、５５  歩行者、５６  地表、６１  悲鳴センサ検知判定部、６２  異常通報生成部、６３  悲鳴センサ、７１  マイク、７２  アナログ処理部、７３  Ａ／Ｄ変換部、７４  周波数分離部、９１  中継装置、９２  遠隔監視装置
【図１】
2004241217.tif 000003
【図２】
2004241217.tif 000004
【図３】
2004241217.tif 000005
【図４】
2004241217.tif 000006
【図５】
2004241217.tif 000007
【図６】
2004241217.tif 000008
【図７】
2004241217.tif 000009
【図８】
2004241217.tif 000010
【図９】
2004241217.tif 000011
【図１０】
2004241217.tif 000012
【図１１】
2004241217.tif 000013
【図１２】
2004241217.tif 000014
【図１３】
2004241217.tif 000015